(57)【要約】【課題】  バランス回路におけるバランストランスの数を増加させずにバックライトの大型化を実現できるインバータ回路を提供することを。【解決手段】  本発明のインバータ回路は、互いに逆相の交流高電圧を供給する複数のインバータトランスであって、複数の冷陰極管ｎ本毎に同相の交流高電圧を供給する複数のインバータトランスと、複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、を備えたことを特徴としている。【選択図】  図６
2007141801.tif 000002
【特許請求の範囲】
【請求項１】
互いに逆相の交流高電圧を供給する複数のインバータトランスであって、複数の冷陰極管ｎ本毎に同相の交流高電圧を供給する複数のインバータトランスと、
複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、
を備えたことを特徴とするインバータ回路。
【請求項２】
前記複数の冷陰極管２本毎に同相の交流高電圧を供給することを特徴とする請求項１に記載のインバータ回路。
【請求項３】
前記複数のインバータトランスの数は、２であることを特徴とする請求項２に記載のインバータ回路。
【請求項４】
前記インバータトランスは、１つの１次巻線と２つの２次巻線を有し、前記２つの２次巻線は交流高電圧が互いに逆極性になる様に配置されることを特徴とする請求項２に記載のインバータ回路。
【請求項５】
前記複数の冷陰極管ｎ本毎に逆相の交流高電圧を供給する端子は、スリットによって離隔されている請求項１に記載のインバータ回路。
【請求項６】
複数の冷陰極管と、
互いに逆相の交流高電圧を供給する複数のインバータトランスであって、前記複数の冷陰極管ｎ本毎に同相の交流高電圧を供給する複数のインバータトランスと、
複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、
を備えたことを特徴とするバックライト。
【請求項７】
前記複数の冷陰極管２本毎に同相の交流高電圧を供給することを特徴とする請求項６に記載のバックライト。
【請求項８】
前記複数のインバータトランスの数は、２であることを特徴とする請求項７に記載のバックライト。
【請求項９】
前記インバータトランスは、１つの１次巻線と２つの２次巻線を有し、前記２つの２次巻線は交流高電圧が互いに逆極性になる様に配置されることを特徴とする請求項７に記載のバックライト。
【請求項１０】
前記複数の冷陰極管ｎ本毎に逆相の交流高電圧を供給する端子は、スリットによって離隔されている請求項６に記載のインバータ回路。
【請求項１１】
液晶パネル、前記液晶パネルに接続されるデータ回路及びゲート回路を有するディスプレイユニットと、
複数の冷陰極管と、互いに逆相の交流高電圧を供給する複数のインバータトランスであって、前記複数の冷陰極管ｎ本毎に同相の交流高電圧を供給する複数のインバータトランスと、複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、を備えたバックライトと、
前記ディスプレイユニット及び前記バックライトとを収納する収納容器及びトップシャーシと、
を有する液晶表示装置。
【請求項１２】
前記複数の冷陰極管２本毎に同相の交流高電圧を供給することを特徴とする請求項１１に記載の液晶表示装置。
【請求項１３】
前記複数のインバータトランスの数は、２であることを特徴とする請求項１２に記載の液晶表示装置。
【請求項１４】
前記インバータトランスは、１つの１次巻線と２つの２次巻線を有し、前記２つの２次巻線は交流高電圧が互いに逆極性になる様に配置されることを特徴とする請求項１２に記載の液晶表示装置。
【請求項１５】
前記複数の冷陰極管ｎ本毎に逆相の交流高電圧を供給する端子は、スリットによって離隔されている請求項１１に記載のインバータ回路。
【請求項１６】
その用途が、液晶モニターである請求項１４に記載の液晶表示装置。
【請求項１７】
その用途が、液晶テレビである請求項１４に記載の液晶表示装置。
【発明の詳細な説明】
【技術分野】
【０００１】
本発明はインバータ回路に関し、特に、液晶ディスプレイのバックライトを駆動するインバータ回路に関する。
【背景技術】
【０００２】
一般に、液晶ディスプレイは、低電圧駆動、低消費電力、軽量、薄型等優れた特性を有しており、パーソナルコンピュータにおけるモニター装置、テレビ受像機等のディスプレイ装置として多く用いられており、近年その大型化の要求が大きくなってきている。
【０００３】
液晶表示装置は、バックライトと、このバックライトの前面に配置される液晶ディスプレイユニットと、を有して構成されており、バックライトはディスプレイパネルに光を供給し、液晶ディスプレイユニットはバックライトから供給された光を変調し、画像として表示するものである。
【０００４】
バックライトは、反射板、光源及び光学シートを有し、光源に電流を印加することでディスプレイユニットに光を供給する。
【０００５】
液晶ディスプレイのバックライトには、従来から冷陰極管（放電管）が用いられている。冷陰極管は、２つの端子を有し、その両端子に数千ボルトの交流電圧を印加されることにより発光する。家電製品のひとつである液晶ディスプレイには、外部から１００Ｖの交流電源が供給される。そこで、液晶ディスプレイにおいては、外部から供給される交流電圧を一度直流電圧に変換し、その直流電圧によってインバータトランスの１次側をパルス駆動し、このインバータトランスの２次側において昇圧された交流電圧で冷陰極管を駆動するという方法が採用されている。このようにインバータトランスの１次側をパルス駆動するための回路がインバータ回路である。
【０００６】
液晶ディスプレイのバックライトにおいては、従来、１個のインバータトランスで１個の冷陰極管を点灯する方式が多く採用されていたが、液晶ディスプレイの大画面化に伴い、複数の冷陰極管を並列に接続し、インバータトランスの高電圧を印加することにより複数の冷陰極管を駆動するようになってきている。
【０００７】
図９は、複数の冷陰極管を並列に接続し、インバータトランスの高電圧を印加することにより複数の冷陰極管を駆動する従来のインバータ回路である。１０００はインバータトランスであり、１００１は抵抗素子である。１００２−１〜１００２−ｎは冷陰極管であり、それぞれ、インバータトランス１０００の２次側で昇圧された交流電圧が印加される。抵抗素子１００１は冷陰極管１００２−１〜１００２−ｎに流れる管電流の検出用の抵抗となる。１００４はバランス回路であり、バランストランス１００３−１〜１００３−ｎを有している。このバランス回路１００４は、冷陰極管１００２−１〜１００２−ｎに直列に接続されている。
【０００８】
バランストランス１００３−１〜１００３−ｎの１次側は、それぞれ、冷陰極管１００２−１〜１００２−ｎとグランド（ＧＮＤ）との間に直列に接続されている。バランストランス１００３−１〜１００３−ｎの２次側は、それぞれ、直列に接続され、閉ループを形成している。このように、バランストランス１００３−１〜１００３−ｎの２次側は閉ループを形成しているため、この閉ループに流れる電流ｉｓは、バランストランス１００３−１〜１００３−ｎの２次側に共通して流れることになり、バランストランス１００３−１〜１００３−ｎの１次側の冷陰極管１００２−１〜１００２−ｎに流れる電流ｉＬ１、ｉＬ２、・・・、ｉＬｎは、それぞれのバランスが保持されるようになる。
【特許文献１】特開２００２−３４３５９１号公報
【発明の開示】
【発明が解決しようとする課題】
【０００９】
しかし、図９に示すような従来のインバータ回路においては、冷陰極管の本数と同等数のバランストランスが必要である。液晶ディスプレイの大型化に伴うバックライトの大型化の要求に応えるためには、冷陰極管の数を増やさなくてはならず、冷陰極管が増えるに伴い、バランストランスの数も増えていくことになり、その結果、コストが非常に高くなってしまう。また、バックライトを大型化するためには、バランス回路を搭載する基板の大型化も必要となり、その結果、コストが非常に高くなってしまう。
【００１０】
そこで、本発明は、上述の問題を鑑みてなされたものであり、バランス回路におけるバランストランスの数を増加させずにバックライトの大型化を実現できるインバータ回路を提供することを目的とする。
【課題を解決するための手段】
【００１１】
本発明によると、
互いに逆相の交流高電圧を供給する複数のインバータトランスであって、複数の冷陰極管ｎ本毎に同相の交流高電圧を供給する複数のインバータトランスと、
複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、
を備えたことを特徴とするインバータ回路が提供される。
【００１２】
また、前記複数の冷陰極管２本毎に同相の交流高電圧を供給するようにしてもよい。
【００１３】
また、前記複数のインバータトランスの数は、２であるようにしてもよい。
【００１４】
また、前記インバータトランスは、１つの１次巻線と２つの２次巻線を有し、前記２つの２次巻線は交流高電圧が互いに逆極性になる様に配置されるようにしてもよい。
【００１５】
また、前記複数の冷陰極管ｎ本毎に逆相の交流高電圧を供給する端子は、スリットによって離隔されているようにしてもよい。
【００１６】
また、本発明によると、
複数の冷陰極管と、
互いに逆相の交流高電圧を供給する複数のインバータトランスであって、前記複数の冷陰極管ｎ本毎に同相の交流高電圧を供給する複数のインバータトランスと、
複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、
を備えたことを特徴とするバックライトが提供される。
【００１７】
また、前記複数の冷陰極管２本毎に同相の交流高電圧を供給するようにしてもよい。
【００１８】
また、前記複数のインバータトランスの数は、２であるようにしてもよい。
【００１９】
前記インバータトランスは、１つの１次巻線と２つの２次巻線を有し、前記２つの２次巻線は交流高電圧が互いに逆極性になる様に配置されるようにしてもい。
【００２０】
また、前記複数の冷陰極管ｎ本毎に逆相の交流高電圧を供給する端子は、スリットによって離隔されているようにしてもよい。
【００２１】
また、本発明によると、
液晶パネル、前記液晶パネルに接続されるデータ回路及びゲート回路を有するディスプレイユニットと、
複数の冷陰極管と、互いに逆相の交流高電圧を供給する複数のインバータトランスであって、前記複数の冷陰極管ｎ本毎に同相の交流高電圧を供給する複数のインバータトランスと、複数のバランストランスであって、前記冷陰極管一本おきに前記冷陰極管が前記バランストランスの１次巻線とそれぞれ直列に接続され、前記複数のバランストランスの２次巻線は、それぞれ、直列に接続され閉ループを形成している複数のバランストランスと、を備えたバックライトと、
前記ディスプレイユニット及び前記バックライトとを収納する収納容器及びトップシャーシと、
を有する液晶表示装置が提供される。
【００２２】
また、前記複数の冷陰極管２本毎に同相の交流高電圧を供給するようにしてもよい。
【００２３】
また、前記複数のインバータトランスの数は、２であるようにしてもよい。
【００２４】
また、前記インバータトランスは、１つの１次巻線と２つの２次巻線を有し、前記２つの２次巻線は交流高電圧が互いに逆極性になる様に配置されるようにしてもよい。
【００２５】
また、前記複数の冷陰極管ｎ本毎に逆相の交流高電圧を供給する端子は、スリットによって離隔されているようにしてもよい。
【００２６】
また、前記液晶表示装置の用途は、液晶モニター、液晶テレビとして好適である。
【発明の効果】
【００２７】
本発明のインバータ回路及びバックライトによると、冷陰極管（放電管）の数を増やした場合であっても、バランストランスの数を冷陰極管の数の半分に抑えることができ、バックライトの大型化を実現することができる。
【００２８】
また、本発明のインバータ回路及びバックライトによると、隣接する冷陰極管に印加される交流電圧の位相が複数本毎に交互に反転しているため、ノイズを抑制することができるだけではなく、同位相の交流電圧が印加される複数本の冷陰極管同士の絶縁距離を考慮する必要がなく、配線をコンパクト化することができる。
【発明を実施するための最良の形態】
【００２９】
本発明の実施の形態について、以下、図面を参照して説明する。但し、本発明は多くの異なる態様で実施することが可能であり、以下に示す実施の形態及び実施例の記載内容に限定して解釈されるものではない。なお、本実施の形態及び実施例１で参照する図面において、同一部分又は同様な機能を有する部分には同一の符号を付し、その繰り返しの説明は省略する。
【００３０】
図１に、本発明のインバータ回路及びバックライトが組み込まれた液晶表示装置（「液晶ディスプレイ」とも言う。）１００の一実施形態の構成図を示す。図１に示すとおり、液晶表示装置１００は、ディスプレイユニット１１０、バックライトユニット１２０、これらを収納する収納容器１３０、トップシャーシ１４０、を有して構成される。
【００３１】
ディスプレイユニット１１０は、更に、映像を表示する液晶表示パネル１１１、液晶表示パネル１１１を駆動するための駆動信号を提供するデータ回路１１２及びゲート回路１１３を有している。データ回路１１２及びゲート回路１１３は、それぞれデータ回路用テープ基板１１４及びゲート回路用テープ基板１１５を通じて前記液晶表示パネル１１１と電気的に連結されている。
【００３２】
液晶表示パネル１１１は、更に、薄膜トランジスタ（以下「ＴＦＴ」という。）基板１１６と、ＴＦＴ基板１１６に対向して配置されるカラーフィルター（以下「ＣＦ」という。）基板１１７と、これら基板の間に配置される液晶を有している。
【００３３】
ＴＦＴ基板１１６としては、ＴＦＴ及び電極を形成することができる限りにおいて特段限定されるわけではないが、例えば透明なガラス基板を好適に用いることができ、ＴＦＴ基板上には複数のゲート電極と、このゲート電極に交差して配置される複数のデータ電極と、上記ゲート電極及びデータ電極との各交差点近傍に配置され、これらゲート電極及びデータ電極に接続される複数のＴＦＴ、この複数のＴＦＴの各々に接続して設けられる画素電極と、を少なくとも有している。なお、画素電極に対応して設けられる共通電極は、ＴＦＴ基板１１６上に形成してもよいし、ＣＦ基板１１７上に形成してもよい。
【００３４】
ＣＦ基板１１７においても、上記ＴＦＴ基板１１６と同様、ＣＦを形成することができる限りにおいて特段限定されるわけではないが、例えば透明なガラス基板を好適に用いることができる。ＣＦ基板上に形成されるＣＦは、赤（Ｒ）、緑（Ｇ）、青（Ｂ）いずれかの色を透過させる色素を含む有機層を、ＴＦＴ基板の各画素電極に対応して配置させることで実現できる。なお、液晶表示装置１００は、バックライトユニット１２０を背面に設置し、液晶表示パネルによる光学変化を用いてバックライト装置からの光を調節し画像として表示するため、ＴＦＴ基板１１６、ＣＦ基板１１７の双方が透明な基板であることが望ましい態様である。
【００３５】
収納容器１３０は、底面１３１と、この底面１３１の端辺に設けられる側壁１３２を有して構成されており、ディスプレイユニット１１０、バックライト装置１２０等を収納する。なお収納容器１３０は、トップシャーシ１４０と嵌合させることにより、内部に収納されたディスプレイユニット１１０等を固定し、また、外部衝撃による破損を防止する。
【００３６】
次に、図２に、液晶表示装置１００におけるバックライトユニット１２０の分解斜視図を示す。バックライトユニット１２０は、反射板１２１と、この反射板１２１上にほぼ平行に配置された複数の冷陰極管１２２と、配置された複数の冷陰極管の上側に配置される光学シート１２３と、複数の例陰極管１２２に接続される第１電極１５３、複数の冷陰極管各々に設けられる複数の第２電極１５４と、を有して構成されている。なお複数の第２電極１５４は、電極基板１５５上に形成されており、電極基板１５５上には後述するバランス回路が形成されている。
【００３７】
そして更にバックライトユニット１２０には、インバータ回路１５０が接続されており、本実施形態においては、インバータ回路１５０は収納容器１３０の外部に配置されている。なお、バックライトユニット１２０の内部にインバータ回路１５０を設けるようにしてもよい。
【００３８】
なお、光学シート１２３は、バックライト装置１１０が供給する光の特性を向上させるために設けられるものであり、光学シート１２３としては、光の拡散のための拡散シートであってもよく、光の集光のためのプリズムシートであってもよい。また、バックライト装置１２０における冷陰極管１２２の数は、特に限定されるものではないが、１０本以上であることが望ましく、１４本又は１６本であることがより望ましい。
【００３９】
次に、図３を参照する。図３には、本発明のインバータ回路及びバックライトが組み込まれた液晶表示装置１００の機能ブロック図を示す。液晶表示装置１００は、図３に示すように、概略、電源部１０、液晶パネル駆動部２０、バックライト部５０から構成されている。
【００４０】
電源部１０は、１００Ｖの交流電源が供給されるところのＡＣプラグ１１に接続されたＡＣ／ＤＣ整流部１２、このＡＣ／ＤＣ整流部１２の出力電圧を変換して、液晶パネル駆動部２０とバックライト駆動部５０にそれぞれ所定の電圧を供給するＤＣ／ＤＣコンバータ１３とから構成される。
【００４１】
液晶表示パネル駆動部２０は、液晶表示パネル１１１のゲート線やデータ線を駆動するゲート線・データ線駆動回路２４、データ線に供給する各種電圧を供給するＶｃｏｍ発生部２２及びγ電圧発生部２３、ゲート線・データ線駆動回路２４、Ｖｃｏｍ発生部２３及びγ電圧発生部２３に直流電源を供給するＤＣ／ＤＣコンバータ２１とから構成される。
【００４２】
バックライト部５０は、複数の冷陰極管等から構成される冷陰極管バックライト部３０、この冷陰極管バックライト部３０に振幅２ｋＶ程度の高周波高電圧を供給するインバータ部９０から構成される。本発明のインバータ回路はこのインバータ部９０に関するものである。また、本発明のバックライトは、複数の冷陰極管等から構成される冷陰極管バックライト部３０とインバータ部９０とを有するバックライト部５０に関するものである。
【００４３】
ここで、図４に、一般的な冷陰極管３０１の構造を示す。冷陰極管３０１は、内部に封入ガス３２５が封入されたガラス３２６から構成されており、そのガラス管の両端にはリード線３２１・電極３２８がそれぞれ配置されている。ガラス管の内部には蛍光体３２２が塗布されている。ガラス３２６には水銀３２３が封入されており、両電極３２８に高周波高電圧を印加すると、ガス管内を電子が通過し、この電子によって励起された水銀が紫外線３２４を放出し、この紫外線３２４が蛍光体３２２に照射されると蛍光体は白色の可視光を外部に放出する。本実施形態においては、この冷陰極管３０１がバックライト部５０の冷陰極管１２２に用いられる。
【００４４】
次に、図５を参照する。図５には、本発明者らが本発明のインバータ回路及びバックライトの開発に至る経緯において見出したインバータ回路及びバックライトの概略回路構成図が示されている。図５に示すとおり、このインバータ回路は、高圧側回路４００及び低圧側回路４０６を有している。高圧側回路４００は、インバータトランス４０１及びその２次側に接続された抵抗素子並びにインバータトランス４０３及びその２次側に接続された抵抗素子４０４を有している。低圧側回路４０６は、複数（ｎ／２）のバランストランス４０７−１、４０７−２、・・・、４０７−ｎ／２を有している。
【００４５】
図５に示すバックライトは、複数（ｎ本）の冷陰極管１２２−１、１２２−２、・・・、１２２−（ｎ−１）、１２２−ｎを有している。ここでは、ｎ＝１４とし、冷陰極管１２２の数を１４本としたが、これに限定されるわけではなく、冷陰極管１２２の数は偶数本であれば何本でも構わない。１２２−１〜１２２−ｎは、それぞれ、高圧側回路４００のインバータトランス４０１及び４０３の２次側で昇圧された交流電圧が印加される。抵抗素子４０２及び４０４は冷陰極管１２２−１〜１２２−ｎに流れる管電流の検出用の抵抗となる。
【００４６】
図５に示すインバータ回路及びバックライトにおいては、隣接する冷陰極管、即ち、冷陰極管１２２−１と冷陰極管１２２−２、冷陰極管１２２−２と冷陰極管１２２−３、・・・、冷陰極管１２２−（ｎ−１）と冷陰極管１２２−ｎには、逆極性の高圧電圧が印加されるようになっており、所謂冷陰極管の差動駆動による低ノイズ化が図られている。
【００４７】
また、隣接する冷陰極管１２２−１と冷陰極管１２２−２とは、低圧側回路４０６におけるバランストランス４０７−１の１次側（１次巻線）と直列に接続されている。同様に、隣接する冷陰極管１２２−３と冷陰極管１２２−４とは、低圧側回路４０６におけるバランストランス４０７−２の１次側（１次巻線）と直列に接続されている。同様に、隣接する冷陰極管１２２−（ｎ−１）と冷陰極管１２２−ｎとは、低圧側回路４０６におけるバランストランス４０７−ｎ／２の１次側（１次巻線）と直列に接続されている。このように、隣接する冷陰極管が一つのバランストランスの１次側（１次巻線）と直列に接続されている構成を採っている。また、全てのバランストランス４０７−１、４０７−２、・・・、４０７−ｎ／２の２次側（２次巻線）は、それぞれ、直列に接続され、閉ループ４０９を形成している。
【００４８】
このように、バランストランス４０７−１、４０７−２、・・・、４０７−ｎ／２の２次側（２次巻線）は閉ループ４０９を形成しているため、この閉ループ４０９に流れる電流ｉｓは、バランストランス４０７−１、４０７−２、・・・、４０７−ｎ／２の２次側（２次巻線）に共通して流れることになり、バランストランス４０７−１、４０７−２、・・・、４０７−ｎ／２の１次側（１次巻線）に接続されている冷陰極管１２２−１、１２２−２、・・・、１２２−（ｎ−１）、１２２−ｎに流れる電流ｉＬ１、ｉＬ２、・・・、ｉＬｎは、それぞれのバランスが保持されるようになる。
【００４９】
また、図５に示すインバータ回路及びバックライトにおいては、バランストランスの数が冷陰極管数の半分で済む。
【００５０】
以上説明したとおり、図５に示すインバータ回路及びバックライトにおいては、隣接する冷陰極管に印加される高圧電圧の位相が交互に反転しているため、低ノイズ化は実現できている。一方、高圧側回路に接続されている側の隣接する冷陰極管の端子間は、逆極性の高圧電圧が印加されるため、それぞれの端子間の絶縁距離を確保しなければらない。このような冷陰極管の配置に対応した配線の引き回しの問題もあり、基板サイズの大型化につながり、コスト的にデメリットな面を有している。また、冷陰極管２本毎のランプリード繊の配線においても絶縁処理が必要となってくる。
【００５１】
そこで、本発明者らは、鋭意検討による更なる改良を重ね、本発明のインバータ回路及びバックライトの考案に到達した。
【００５２】
図６を参照する。図６には、本実施形態に係る本発明のインバータ回路及びバックライトの概略回路構成図が示されている。図６示すとおり、このインバータ回路は、高圧側回路４１０及び低圧側回路４１６を有している。高圧側回路４１０は、インバータトランス４１１及びその２次側（２次巻線）に接続された抵抗素子４１２並びにインバータトランス４１３及びその２次側（２次巻線）に接続された抵抗素子４１４を有している。低圧側回路４１６は、複数（ｎ／２）のバランストランス４１７−１、４１７−２、・・・、４１７−ｎ／２を有している。
【００５３】
図６に示すバックライトは、複数（ｎ本）の冷陰極管１２２−１、１２２−２、・・・、１２２−（ｎ−１）、１２２−ｎを有している。ここでは、ｎ＝１４とし、冷陰極管１２２の数を１４本としたが、これに限定されるわけではなく、冷陰極管１２２の数は偶数本であれば何本でも構わない。冷陰極管１２２−１〜１２２−ｎは、それぞれ、高圧側回路４１０のインバータトランス４１１及び４１３の２次側（２次巻線）で昇圧された交流電圧が印加される。抵抗素子４１２及び４１４は冷陰極管１２２−１〜１００２−ｎに流れる管電流の検出用の抵抗となる。
【００５４】
図６に示す本実施形態に係る本発明のインバータ回路及びバックライトにおいては、隣接する冷陰極管、即ち、冷陰極管１２２−１と冷陰極管１２２−２、冷陰極管１２２−３と冷陰極管１２２−４、・・・、冷陰極管１２２−（ｎ−１）と冷陰極管１２２−ｎには、同極性の高圧電圧が印加されるようになっており、更に、冷陰極管２本毎に逆極性の高電圧が印加されるようになっている。つまり、冷陰極管１２２−１及び冷陰極管１２２−２に印加される高電圧は、冷陰極管１２２−３及び冷陰極管１２２−４に印加される高電圧と逆極性となっている。同様に、冷陰極管１２２−３及び冷陰極管１２２−４に印加される高電圧は、冷陰極管１２２−５（図示せず）及び冷陰極管１２２−６（図示せず）に印加される高電圧と逆極性となっている。また、同様に、冷陰極管１２２−（ｎ−３）（図示せず）及び冷陰極管１２２−（ｎ−２）（図示せず）に印加される高電圧は、冷陰極管１２２−（ｎ−１）及び冷陰極管１２２−ｎに印加される高電圧と逆極性となっている。このように、本実施形態の本発明に係るインバータ回路及びバックライトは、冷陰極管２本毎に差動駆動を行い、低ノイズ化が図られている。
【００５５】
また、隣接する冷陰極管１２２−１と冷陰極管１２２−３とは、低圧側回路４１６におけるバランストランス４１７−１の１次側（１次巻線）と直列に接続されている。同様に、隣接する冷陰極管１２２−２と冷陰極管１２２−４とは、低圧側回路４１６におけるバランストランス４１７−２の１次側（１次巻線）と直列に接続されている。同様に、隣接する冷陰極管１２２−（ｎ−２）と冷陰極管１２２−ｎとは、低圧側回路４１６におけるバランストランス４１７−ｎ／２の１次側（１次巻線）と直列に接続されている。このように、２つの冷陰極管が一本おきに一つのバランストランスの１次側（１次巻線）と直列に接続されている構成を採っている。また、全てのバランストランス４１７−１、４１７−２、・・・、４１７−ｎ／２の２次側（２次巻線）は、それぞれ、直列に接続され、閉ループ４１９を形成している。
【００５６】
このように、バランストランス４１７−１、４１７−２、・・・、４１７−ｎ／２の２次側（２次巻線）は閉ループ４１９を形成しているため、この閉ループ４１９に流れる電流ｉｓは、バランストランス４１７−１、４１７−２、・・・、４１７−ｎ／２の２次側（２次巻線）に共通して流れることになり、バランストランス４１７−１、４１７−２、・・・、４１７−ｎ／２の１次側（１次巻線）に接続されている冷陰極管１２２−１、１２２−２、・・・、１２２−（ｎ−１）、１２２−ｎに流れる電流ｉＬ１、ｉＬ２、・・・、ｉＬｎは、それぞれのバランスが保持されるようになる。
【００５７】
また、本実施形態に係る本発明のインバータ回路及びバックライトにおいては、バランストランスの数が冷陰極管数の半分で済む。
【００５８】
さらに、本発明のインバータ回路及びバックライトにおいては、冷陰極管に印加される高電圧の位相が冷陰極管２本毎に逆相であり、言い換えると、隣接する冷陰極管２本においては、印加される高電圧の位相が同相であり、この冷陰極管２本の間の絶縁距離に配慮する必要はなく、最小配線が可能となる。また、本発明のインバータ回路及びバックライトにおいては、冷陰極管２本毎に高圧側における絶縁距離の確保が必要となるが、スリット等を用いることによって冷陰極管の配置ピッチに対応した配線が可能となる。
【００５９】
また、本発明のインバータ回路及びバックライトにおいては、バランストランス４１７−１、４１７−２、・・・、４１７−ｎ／２の１次側（１次巻線）は低圧であるため、通常用いられている配線を使用すればよい。
【００６０】
なお、本実施形態においては、冷陰極管２本毎に印加される電圧の位相を反転させるようにしたが、本発明のインバータ回路及びバックライトはこれに限定されるわけではなく、冷陰極管３本毎、４本毎等、複数本毎に印加される電圧の位相を反転させるようにしてもよい。但し、冷陰極管に発生するノイズが表示画面へ影響を及ぼすことを極力抑制するには、隣接する冷陰極管の位相を細かく反転することが効果的であり、図６に示すような冷陰極管２本毎に印加される電圧の位相を反転させることは、絶縁距離の確保と低ノイズ化には最適である。
【実施例１】
【００６１】
本実施例においては、本発明のインバータ回路及びバックライトの別の形態について説明する。
【００６２】
図７を参照する。図７には、本実施例に係る本発明のインバータ回路及びバックライトの概略回路構成図が示されている。本実施例に係る本発明のインバータ回路及びバックライトは、上述の実施形態及び図６において説明した本発明のインバータ回路及びバックライトと同様の構成を有しているが、図６に示す本発明のインバータ回路及びバックライトにおいては、２つのインバータトランス４１１及び４１３を有し、二つの共振回路を構成しているのに対し、本実施例ではインバータトランス４２１を一つ有している点で異なっている。このインバータトランス４２１は、駆動一次側のコイルを一つ、二次側のコイルを二つにし、駆動一次側のコイルを共通としている。このようにすることで上述の実施形態と同様の効果を得ることができる。特に、本実施例によるとインバータトランスを一つで実現することができるため、小型化を図ることができるという利点を有している。なお、この場合において、各共振回路における冷陰極管の数はそれぞれ同数であることが好ましく、この結果冷陰極管の総数は偶数であることが好ましい。
【実施例２】
【００６３】
本実施例においては、本発明のインバータ回路及びバックライトにおいて、冷陰極管２本毎に高圧側における絶縁距離を確保するために、スリットを用いた例について説明する。図８に高圧側の電極基板１５３にスリット４３０を用いた例を示す。図８に示すとおり、高圧側の電極基板１５３には、冷陰極管を接続するコネクタ１５３−１、１５３−２、１５３−３、１５３−４，１５３−５，１５３−６，１５３−７、・・・・、１５３−ｎが設けられている。１５３−１、１５３−４、１５３−５、・・・、１５３−ｎは負の高電圧が印加されるコネクタであり、１５３−２、１５３−３、１５３−６、１５３−７、・・・、１５３−（ｎ−１）は正の高電圧が印加されるコネクタ（端子）である。１５３ａは負の高圧ラインであり、基板１５３の表面に形成されている。１５３ｂは正の高圧ラインであり、基板１５３の裏面に形成されている。なお、基板１５３の裏面に形成された正の高電圧ライン１５３ｂと基板１５３の表面に設けられているコネクタ１５３−２、１５３−３、１５３−６、１５３−７、・・・、１５３−（ｎ−１）とは、基板１５３ｂに設けられたスルーホールを介して接続されている。図８のような構成を採用することにより、互いに逆相に高電圧が印加されるコネクタ（端子）をスリット４３０によって離隔し、高圧側における絶縁距離を確保することができ、冷陰極管の配置ピッチに対応した配線が可能となる。
【００６４】
なお、本実施例においては、冷陰極管２本毎に印加される電圧の位相を反転させるようにしたが、本発明のインバータ回路及びバックライトはこれに限定されるわけではなく、冷陰極管３本毎、４本毎等、複数本毎に印加される電圧の位相を反転させるようにしてもよい。この場合、冷陰極管３本毎、４本毎等、複数本毎に接続されるコネクタ（端子）それぞれをスリットを用いて離隔すればよい。
【産業上の利用可能性】
【００６５】
以上、本発明に係るインバータ回路及びバックライトは、液晶表示装置に好適に用いることができる。液晶表示装置は、パーソナルコンピュータにおけるモニター装置、テレビ受像機等のディスプレイ装置として有用であり、更に、インバータ回路は、これらの部品として有用である。
【図面の簡単な説明】
【００６６】
【図１】一実施形態に係る本発明のインバータ回路及びバックライトが組み込まれた液晶表示装置１００の構成図である。
【図２】一実施形態に係る本発明のインバータ回路及びバックライトが組み込まれた液晶表示装置１００におけるバックライトユニット１２０の分解斜視図である。
【図３】一実施形態に係る本発明のインバータ回路及びバックライトが組み込まれた液晶表示装置１００の機能ブロック図である。
【図４】一般的な冷陰極管３０１の構造を示す図である。
【図５】インバータ回路及びバックライトの概略回路構成図である。
【図６】一実施形態に係る本発明のインバータ回路及びバックライトの概略回路構成図である。
【図７】一実施例に係る本発明のインバータ回路及びバックライトの概略回路構成図である。
【図８】高圧側の電極基板１５３にスリット４３０を用いた例を示す図である。
【図９】従来のインバータ回路の概略回路構成図である。
【符号の説明】
【００６７】
１００  液晶表示装置
１１０  ディスプレイユニット
１１１  液晶表示パネル
１１２  データ回路
１１３  ゲート回路
１１４  データ回路用テープ基板
１１５  ゲート回路用テープ基板
１１６  ＴＦＴ基板
１１７  ＣＦ基板
１２０  バックライトユニット
１２１  反射板
１２２  冷陰極管
１２３  光学シート
１３０  収納容器
１３１  底面
１３２  側壁
１４０  トップシャーシ
４００  高圧側回路
４０１  インバータトランス
４０２  抵抗素子
４０３  インバータトランス
４０４  抵抗素子
４０６  低圧側回路
４０７−１、４０７−２、・・・、４０７−ｎ／２  バランストランス
４１０  高圧側回路
４１１  インバータトランス
４１２  抵抗素子
４１３  インバータトランス
４１４  抵抗素子
４１６  低圧側回路
４１７−１、４１７−２、・・・、４１７−ｎ／２  バランストランス
４１９  閉ループ
４２０  高圧側回路
４２１  インバータトランス
【図１】
2007141801.tif 000003
【図２】
2007141801.tif 000004
【図３】
2007141801.tif 000005
【図４】
2007141801.tif 000006
【図５】
2007141801.tif 000007
【図６】
2007141801.tif 000008
【図７】
2007141801.tif 000009
【図８】
2007141801.tif 000010
【図９】
2007141801.tif 000011